(57)【要約】【課題】  増幅器の入出力特性が運用中に変化する場合にも、簡単な構成で効率的な歪補償を行う。【解決手段】  歪補償データ部は、複数の歪補償データで構成される歪補償データ群を記憶し、入力される直交ベースバンド信号の信号電力に対応する歪補償データを出力する。歪補償データ保有部は、特性の異なる複数の歪補償データ群を記憶する。歪補償部は、歪補償データに対応する非線形歪を付与した直交ベースバンド信号を生成する。増幅器は、非線形歪を付与した直交ベースバンド信号を直交変調した変調信号を増幅する。フィルタは、分配された変調信号から有効帯域外の成分である歪成分を取り出す。歪補償データ制御部は、歪補償データ部に記憶される歪補償データ群を一時的に順次書き換えながら、電力検出部による歪成分の電力レベルの変化を監視し、歪成分が最も小さくなる歪補償データ群を歪補償データ部に記憶させる。【選択図】  図１
2005072747.tif 000002
【特許請求の範囲】
【請求項１】
入力される直交ベースバンド信号の信号電力を計算する電力計算部と、
複数の歪補償データで構成される一つの歪補償データ群を記憶し、記憶している歪補償データ群の中から前記信号電力に対応する歪補償データを選択し出力する歪補償データ部と、
複数の歪補償データでそれぞれ構成される特性の異なる複数の歪補償データ群を記憶する歪補償データ保有部と、
前記直交ベースバンド信号を前記歪補償データ部から出力される歪補償データを用いて信号処理し、この歪補償データに対応する非線形歪を付与した直交ベースバンド信号を生成する歪補償部と、
非線形歪が付与された直交ベースバンド信号を直交変調し変調信号を出力する直交変調部と、
非線形な入出力特性を有し、前記変調信号を増幅して出力する増幅器と、
前記増幅器から出力される変調信号の一部を分配する分配部と、
前記分配部で分配された変調信号から有効帯域外の成分である歪成分を取り出すフィルタと、
前記フィルタにより取り出された前記歪成分の電力レベルを検出する電力検出部と、
前記歪補償データ保有部を制御して前記歪補償データ部に記憶される歪補償データ群を一時的に順次書き換えながら、前記歪成分の電力レベルの変化を監視し、これ等電力レベルの変化から前記歪成分が最も小さくなる歪補償データ群を前記歪補償データ部に記憶させる歪補償データ制御部とを備えていることを特徴とする非線形歪補償装置。
【請求項２】
請求項１記載の非線形歪補償装置において、
前記歪補償データ部は、ＲＡＭで構成され、
前記歪補償データ保有部は、前記ＲＡＭより低速で動作するＲＯＭで構成されていることを特徴とする非線形歪補償装置。
【請求項３】
入力される直交ベースバンド信号の信号電力を計算する電力計算部と、
複数の歪補償データで構成される一つの歪補償データ群を記憶し、記憶している歪補償データ群の中から前記信号電力に対応する歪補償データを選択し出力する歪補償データ部と、
歪補償データの作成指示に応答して、複数の歪補償データでそれぞれ構成される複数の歪補償データ群のいずれかを作成し、作成した歪補償データ群を前記歪補償データ部に記憶させる歪補償データ作成部と、
前記直交ベースバンド信号を前記歪補償データ部から出力される歪補償データを用いて信号処理し、この歪補償データに対応する非線形歪を付与した直交ベースバンド信号を生成する歪補償部と、
非線形歪が付与された直交ベースバンド信号を直交変調し変調信号を出力する直交変調部と、
非線形な入出力特性を有し、前記変調信号を増幅して出力する増幅器と、
前記増幅器から出力される変調信号の一部を分配する分配部と、
前記分配部で分配された変調信号から有効帯域外の成分である歪成分を取り出すフィルタと、
前記フィルタにより取り出された前記歪成分の電力レベルを検出する電力検出部と、
前記歪補償データ作成部に前記作成指示を順次与えて前記歪補償データ部に記憶される歪補償データ群を一時的に順次書き換えながら、前記歪成分の電力レベルの変化を監視し、これ等電力レベルの変化から前記歪成分が最も小さくなる歪補償データ群を前記歪補償データ部に記憶させる歪補償データ制御部とを備えていることを特徴とする非線形歪補償装置。
【請求項４】
請求項１または請求項３記載の非線形歪補償装置において、
前記直交変調部と前記増幅器との間に配置され、前記直交変調部で変調された信号の周波数帯を、この周波数帯より高い周波数帯に変換し、前記増幅器に出力する周波数変換部と、
前記分配部と前記フィルタとの間に配置され、前記分配部からの信号の周波数帯を、この周波数帯より低い周波数帯に変換し、前記フィルタに出力する周波数逆変換部とを備えていることを特徴とする非線形歪補償装置。
【請求項５】
請求項１または請求項３記載の非線形歪補償装置において、
前記歪補償データ制御部は、前記歪補償データ群の特性が徐々に変化するようにこれ等歪補償データ群を順次切り替え、切り替えた前記歪補償データ群を用いてそれぞれ測定される前記歪成分の電力レベルが、複数の歪補償データ群で連続して等しいとき、この電力レベルを前記電力検出部の検出下限と判定し、切り替えた前記歪補償データ群にそれぞれ対応する前記歪成分の電力レベルを二次元情報として保持し、電力レベルが検出下限に向けて下降する直線と、電力レベルが検出下限から上昇する直線とを求め、これ等２つの直線の交点に対応する歪補償データ群を、前記歪補償データ部に記憶させることを特徴とする非線形歪補償装置。
【請求項６】
請求項１または請求項３記載の非線形歪補償装置において、
前記歪補償データ制御部は、前記歪補償データ群の特性が徐々に変化するようにこれ等歪補償データ群を順次切り替え、切り替えた前記歪補償データ群を用いてそれぞれ測定される前記歪成分の電力レベルが、複数の歪補償データ群で連続して等しいとき、この電力レベルを前記電力検出部の検出下限と判定し、切り替えた前記歪補償データ群に対応する前記歪成分の電力レベルを二次元情報として保持し、検出下限に対応する複数の前記歪補償データ群のうち、中央に最も近い歪補償データ群を、前記歪補償データ部に記憶させることを特徴とする非線形歪補償装置。
【請求項７】
請求項１または請求項３記載の非線形歪補償装置において、
前記フィルタ、前記電力検出部および前記歪補償データ制御部は、前記歪補償データ部が用いる歪補償データ群を最適な歪補償データ群に更新するために所定の周期で起動される更新モード中のみ動作することを特徴とする非線形歪補償装置。
【発明の詳細な説明】
【技術分野】
【０００１】
本発明は、無線通信システムの送信機の増幅器で発生する非線形歪を補償する非線形歪補償装置に関する。
【背景技術】
【０００２】
無線通信システムの送信機は、送信する信号を電気的に増幅した後にアンテナを経由して空中へ電波を送出するため、増幅器が必要である。この種の増幅器は、省電力化を図るために消費電力の効率化が進められている。一般に、高効率な増幅器は、入力電力が比較的高くなるとその出力（電力および位相）に非線形成分を含む入出力特性を示す。通常これは非線形歪と呼ばれる。非線形歪量が大きくなると無線通信の品質は劣化し、結果として通信ができなくなる場合がある。ここで、増幅器の入力電力に対する出力電力特性をＡＭ−ＡＭ特性といい、入力電力に対する出力位相特性をＡＭ−ＰＭ特性という。
【０００３】
図１２は、非線形歪を含む増幅器の入出力特性の例を示している。図において、横軸は入力電力（ＡＭ）、左縦軸は出力電力（ＡＭ）、右縦軸は出力位相（ＰＭ）を示し、実線はＡＭ−ＡＭ特性、破線はＡＭ−ＰＭ特性を表す。図に示すように、ＡＭ−ＡＭ特性は入力電力が比較的小さい領域（０dBｍ以下）ではほぼ線形となっているが、入力電力が比較的大きい領域（０dBｍ以上）では非線形になっていることがわかる。ＡＭ−ＰＭ特性においても同様である。
【０００４】
非線形歪を補償する方法として、比較的簡単に実現可能なディジタル信号を利用した非線形歪補償方法が提案されている。この方法は、増幅器で信号が歪むことを承知した上で、その逆の特性を有する非線形歪を予めディジタル信号処理により与え、増幅器の非線形な入出力特性による非線形歪を相殺するものである。この方法は、ディジタルプレディストーション方法と呼ばれる。また、非線形歪を与えるためのデータは、歪補償データと呼ばれる。
【０００５】
増幅器の入出力特性は、温度条件や経年条件等の環境条件や、駆動電圧レベル等により変動するのが一般的である。このため、非線形歪を、ディジタルプレディストーションで用いる歪補償データが常時、定数であるとして補償することは効果的ではない。また、増幅器の入出力特性（歪特性）は、たとえ製造ロットが同じであっても個体差を有する。このため、製品型番が同じ増幅器を使用する場合であっても、同一の歪補償係数を使用して歪を補償することは効果的でない。しかしながら、全ての増幅器の歪特性を測定することは効率が悪いため、実際には同一の歪補償係数を使用することが多い。このように、実際の歪特性に適合しない歪補償係数を使用して歪補償を行う場合、プレディストーションが逆効果になることもある。したがって、歪補償データを逐次更新することは運用上必要である。
【０００６】
図１３は、従来の非線形歪補償装置の構成例を示している（例えば、非特許文献１）。
非線形歪補償装置は、歪補償部１１０、電力計算部１１２、参照テーブル部１１４、直交変調部１１６、増幅器１１８、分配部１２０、直交復調部１２２および係数更新部１２４を有している。
送信信号として入力される直交ベースバンド信号１００は、歪補償部１１０、電力計算部１１２および係数更新部１２４に入力される。電力計算部１１２は入力された直交ベースバンド信号１００の信号電力を計算し、その値を参照テーブル部１１４および係数更新部１２４に出力する。
【０００７】
参照テーブル部１１４は、信号電力と、増幅器１１８の非線形歪を補償するための歪補償データとを対応付けた書き換え可能な歪補償データテーブルを有している。参照テーブル部１１４は、電力計算部１１２から入力される信号電力に対応する歪補償データ１０２を歪補償データテーブルから読み出して歪補償部１１０に出力する。歪補償部１１０は、直交ベースバンド信号１００とその信号電力に対応した歪補償データ１０２との複素積を計算し、増幅器１１８で発生する非線形歪と逆特性の非線形歪を付与した直交ベースバンド信号を直交変調部１１６に出力する。
【０００８】
直交変調部１１６は、歪補償部１１０で歪補償処理された直交ベースバンド信号を直交変調する。増幅器１１８は、直交変調部１１６からの変調信号を所定のレベルまで増幅する。増幅器１８で増幅され歪補償された変調信号１０４は、無線信号として送信されるとともに、その一部は、分配部１２０を介して分配され、直交復調部１２２に入力される。直交復調部１２２は、変調信号１０４を復調し、復調した直交ベースバンド信号１０６を係数更新部１２４に出力する。
係数更新部１２４は、復調された直交ベースバンド信号１０６と歪補償前の直交ベースバンド信号１００との誤差を算出する。係数更新部１２４は、信号比較により得られた誤差に基づいて、電力計算部１１２で計算された信号電力に対応する誤差成分を求め、参照テーブル部１１４に与える。参照テーブル部１１４は、受けた誤差成分に応じて歪補償係数を更新する。
【０００９】
一方、フィードフォワード方式の歪補償装置において、増幅器で発生する歪成分を除去するために、この歪成分をフィルタを用いて取り出し、取り出した歪成分の電力レベルを電力検出回路により検出し、検出した電力が小さくなるように振幅および位相を調整する手法が提案されている（例えば、特開２００１−７６５６号公報）。
【特許文献１】特開２００１−７６５６号公報
【非特許文献１】移動体通信用送信系非線形歪補償方式、Matsushita Technical Journal, Vol.44, No.6, Dec.1998
【発明の開示】
【発明が解決しようとする課題】
【００１０】
図１３に示した従来の非線形歪補償装置は、歪補償前のベースバンド信号１００と、歪補償し増幅した後の変調信号をフィードバックして復調したベースバンド信号１０６とを比較し、その誤差に基づいて歪補償データを更新している。この手法では、歪補償データを更新するためにベースバンド信号１０６を生成する復調器が必要になる。この結果、非線形歪補償装置の構成が複雑になり、非線形歪補償装置のコストが増加する問題がある。
特開２００１−７６５６号公報では、増幅器で発生する歪を小さくするための制御手法が具体的に開示されていない。また、検出すべき歪成分の電力レベルが電力検出回路の最低検出電力レベルより低い場合、歪補償を最適に行うことができない。
【００１１】
本発明の目的は、増幅器の入出力特性が運用中に変化する場合にも、簡単な構成でその入出力特性の変化に対応して歪補償データの更新を行い、効率的な歪補償を行うことにある。
本発明の別の目的は、歪成分の電力レベルが電力検出回路の最低検出電力レベルより低い場合にも増幅器の歪が最小になるように歪補償を最適に行うことにある。
【課題を解決するための手段】
【００１２】
請求項１の非線形歪補償装置では、電力計算部は、入力される直交ベースバンド信号の信号電力を計算する。歪補償データ部は、複数の歪補償データで構成される一つの歪補償データ群を記憶し、記憶している歪補償データ群の中から信号電力に対応する歪補償データを選択し出力する。歪補償データ保有部は、複数の歪補償データでそれぞれ構成される特性の異なる複数の歪補償データ群を記憶している。歪補償部は、直交ベースバンド信号を歪補償データ部から出力される歪補償データを用いて信号処理し、この歪補償データに対応する非線形歪を付与した直交ベースバンド信号を生成する。直交変調部は、非線形歪が付与された直交ベースバンド信号を直交変調し変調信号を出力する。増幅器は、非線形な入出力特性を有し、変調信号を増幅して出力する。分配部は、増幅器から出力される変調信号の一部を分配する。フィルタは、分配部で分配された変調信号から有効帯域外の成分である歪成分を取り出す。電力検出部は、フィルタにより取り出された歪成分の電力レベルを検出する。歪補償データ制御部は、歪補償データ保有部を制御して歪補償データ部に記憶される歪補償データ群を一時的に順次書き換えながら、歪成分の電力レベルの変化を監視し、これ等電力レベルの変化から歪成分が最も小さくなる歪補償データ群を歪補償データ部に記憶させる。
【００１３】
請求項２の非線形歪補償装置では、歪補償データ部は、ＲＡＭで構成されている。歪補償データ保有部は、ＲＡＭより低速で動作するＲＯＭで構成されている。
【００１４】
請求項３の非線形歪補償装置では、電力計算部は、入力される直交ベースバンド信号の信号電力を計算する。歪補償データ部は、複数の歪補償データで構成される一つの歪補償データ群を記憶し、記憶している歪補償データ群の中から信号電力に対応する歪補償データを選択し出力する。歪補償データ作成部は、歪補償データの作成指示に応答して、複数の歪補償データでそれぞれ構成される複数の歪補償データ群のいずれかを作成し、作成した歪補償データ群を歪補償データ部に記憶させる。歪補償部は、直交ベースバンド信号を歪補償データ部から出力される歪補償データを用いて信号処理し、この歪補償データに対応する非線形歪を付与した直交ベースバンド信号を生成する。直交変調部は、非線形歪が付与された直交ベースバンド信号を直交変調し変調信号を出力する。増幅器は、非線形な入出力特性を有し、変調信号を増幅して出力する。分配部は、増幅器から出力される変調信号の一部を分配する。フィルタは、分配部で分配された変調信号から有効帯域外の成分である歪成分を取り出す。電力検出部は、フィルタにより取り出された歪成分の電力レベルを検出する。歪補償データ制御部は、歪補償データ作成部に作成指示を順次与えて歪補償データ部に記憶される歪補償データ群を一時的に順次書き換えながら、歪成分の電力レベルの変化を監視し、これ等電力レベルの変化から歪成分が最も小さくなる歪補償データ群を歪補償データ部に記憶させる。
【００１５】
請求項４の非線形歪補償装置では、周波数変換部は、直交変調部と増幅器との間に配置され、直交変調部で変調された信号の周波数帯を、この周波数帯より高い周波数帯に変換し、増幅器に出力する。周波数逆変換部は、分配部とフィルタとの間に配置され、分配部からの信号の周波数帯を、この周波数帯より低い周波数帯に変換し、フィルタに出力する。
【００１６】
請求項５の非線形歪補償装置では、歪補償データ制御部は、歪補償データ群の特性が徐々に変化するようにこれ等歪補償データ群を順次切り替える。歪補償データ制御部は、切り替えた歪補償データ群を用いてそれぞれ測定される歪成分の電力レベルが、複数の歪補償データ群で連続して等しいとき、この電力レベルを電力検出部の検出下限と判定する。そして、歪補償データ制御部は、切り替えた歪補償データ群にそれぞれ対応する歪成分の電力レベルを二次元情報として保持し、電力レベルが検出下限に向けて下降する直線と、電力レベルが検出下限から上昇する直線とを求め、これ等２つの直線の交点に対応する歪補償データ群を、歪補償データ部に記憶させる。
【００１７】
請求項６の非線形歪補償装置では、歪補償データ制御部は、歪補償データ群の特性が徐々に変化するようにこれ等歪補償データ群を順次切り替える。歪補償データ制御部は、切り替えた歪補償データ群を用いてそれぞれ測定される歪成分の電力レベルが、複数の歪補償データ群で連続して等しいとき、この電力レベルを電力検出部の検出下限と判定する。そして、歪補償データ制御部は、切り替えた歪補償データ群に対応する歪成分の電力レベルを二次元情報として保持し、検出下限に対応する複数の歪補償データ群のうち、中央に最も近い歪補償データ群を、歪補償データ部に記憶させる。
【００１８】
請求項７の非線形歪補償装置では、フィルタ、電力検出部および歪補償データ制御部は、歪補償データ部が用いる歪補償データ群を最適な歪補償データ群に更新するために所定の周期で起動される更新モード中のみ動作する。
【発明の効果】
【００１９】
請求項１の非線形歪補償装置では、歪補償データ保有部に記憶された特性の異なる複数の歪補償データ群を用いて、歪補償データ群を一時的に順次切り替えながら歪成分の電力レベルの変化を監視することで、非線形歪を示す歪成分電力が最も小さくなる最適な歪補償データ群を容易に求めることができる。また、復調器などの複雑な回路を用いることなく簡易な回路構成で歪補償を実現できる。この結果、無線システムの運用中に増幅器の入出力特性が変化する場合にも、低い装置コストで、入出力特性の変化に対応して歪補償データ群を更新でき、無線通信の品質が低下することを防止できる。また、特性の異なる複数の歪補償データ群を歪補償データ保有部に予め記憶しておくことで、歪補償データ部への歪補償データ群の書き換えを迅速に行うことができ、歪補償の更新動作を短時間で実施できる。
【００２０】
請求項２の非線形歪補償装置では、歪補償データ群の更新動作は、歪補償部の信号処理動作に比べて時間的に余裕がある。また、歪補償データ保有部が記憶する歪補償データ群は、書き換えの必要がない。このため、歪補償データ保有部は、歪補償データ部に比べて低速なＲＯＭで構成可能である。安価なＲＯＭを使用できるため、装置コストを削減できる。歪補償データ保有部をＲＯＭで構成することで、歪補償データ保有部に記憶される歪補償データがノイズ等により破壊されることを防止できる。このため、無線通信の信頼性が低下することを防止できる。
【００２１】
請求項３の非線形歪補償装置では、歪補償データ作成部が順次作成する複数の歪補償データ群を用いて、歪補償データ群を一時的に順次切り替えながら歪成分の電力レベルの変化を監視することで、非線形歪を示す歪成分電力が最も小さくなる最適な歪補償データ群を容易に求めることができる。また、復調器などの複雑な回路を用いることなく簡易な回路構成で歪補償を実現できる。この結果、無線システムの運用中に増幅器の入出力特性が変化する場合にも、低い装置コストで、入出力特性の変化に対応して歪補償データ群を更新でき、無線通信の品質が低下することを防止できる。また、歪補償データ群をその都度作成することで、複数の歪補償データ群を格納しておく領域が不要になり、歪補償データ作成部を簡易に構成できる。
【００２２】
請求項４の非線形歪補償装置では、フィルタは、相対的に高い精度で帯域外放射電力（歪成分）を取り出すことができる。精度の向上が不要な場合は、フィルタのコストを削減できる。この結果、装置コストを増加させることなく高い精度で歪補償処理を実施でき、無線通信の品質が低下することを防止できる。
【００２３】
請求項５の非線形歪補償装置では、電力検出部の精度が低く、帯域外放射電力の最小値が電力検出部の検出下限を下回る場合にも、非線形歪を最小にする歪補償データ群を高い精度で判定できる。相対的に電力検出部のコストを下げることができ、装置コストを削減できる。
【００２４】
請求項６の非線形歪補償装置では、電力検出部の精度が低く、帯域外放射電力の最小値が電力検出部の検出下限を下回る場合にも、非線形歪を最小にする歪補償データ群を高い精度で判定できる。相対的に電力検出部のコストを下げることができ、装置コストを削減できる。検出下限に並ぶ複数の電力レベルを結ぶ線分の中点を求めるだけで、非線形歪を最小にする歪補償データ群に容易に決定できる。
【００２５】
請求項７の非線形歪補償装置では、必要なときに必要な回路のみを動作させることで、消費電力を削減できる。
【発明を実施するための最良の形態】
【００２６】
以下、本発明の実施形態を図面を用いて説明する。
【００２７】
図１は、本発明の非線形歪補償装置の第１の実施形態を示している。非線形歪補償装置は、携帯電話等の無線通信の基地局、携帯電話、加入者系無線（FWA: Fixed Wireless Access）の基地局、あるいは無線ＬＡＮの親機・子機等の送信部に適用される。非線形歪補償装置は、ディジタルプレディストーション手法を採用した装置であり、電力計算部１６、歪補償データ部１８、歪補償データ保有部２０、歪補償部２２、直交変調部２４、増幅器２６、分配部２８、フィルタ３０、電力検出部３２および歪補償データ制御部３４を有している。
【００２８】
電力計算部１６は、入力された直交ベースバンド信号１０の信号電力を計算し、その値を歪補償データ部１８に出力する。歪補償データ部１８は、増幅器２６のＡＭ−ＡＭ特性およびＡＭ−ＰＭ特性の歪を補償するために、電力計算部１６が通知可能な信号電力にそれぞれ対応する複数の歪補償データからなる一つの歪補償データ群を記憶する。そして、歪補償データ部１８は、電力計算部１６により計算された信号電力に対応する歪補償データ１２を、歪補償データ群の中から読み出し、歪補償部２２に出力する。ここで、歪補償データ１２は、振幅補償用および位相補償用のデータで構成される。歪補償データ１２は、信号処理を高速に行うために、電力計算部１６により計算された信号電力に応答して高速に出力する必要がある。また、歪補償データ部１８は、後述するように、歪補償データ保有部２０により書き換えられる。このため、歪補償データ部１８は、高速なＲＡＭ（Random Access Memory）で構成されている。
【００２９】
歪補償データ保有部２０は、互いに特性が異なるｍ個の歪補償データ群Gr1-Grmを記憶している。各歪補償データ群Gr1-Grmは、歪補償データ部１８に記憶される歪補償データの数と同じ数の歪補償データを有している。歪補償データ保有部２０は、増幅器２６で発生する非線形歪を小さくするために歪補償データ部１８に最適な歪補償データ群を記憶させる更新モード中に、歪補償データ制御部３４からの指示内容に対応する歪補償データ群（Gr1-Grmのいずれか）を歪補償データ部１８に転送する。すなわち、歪補償データ部１８が記憶する歪補償データ群は、書き換えられ、更新される。
【００３０】
歪補償データ群の更新動作は、歪補償部２２の信号処理動作に比べて時間的に余裕がある。また、歪補償データ保有部２０が記憶する歪補償データ群Gr1-Grmは、書き換えの必要がない。このため、歪補償データ保有部２０は、歪補償データ部１８に比べて低速なＲＯＭ（Read Only Memory）で構成されている。安価なＲＯＭを使用できるため、装置コストを削減できる。なお、歪補償データ部１８の記憶容量をｍ倍にし、歪補償データ部１８に全ての歪補償データ群Gr1-Grmを記憶してもよい。しかし、この場合、高価な高速メモリ（高速ＲＡＭまたは高速ＲＯＭ）の記憶容量が増えるため、装置コストが増加する。また、全ての歪補償データ群Gr1-GrmをＲＡＭに記憶すると、ノイズ等により歪補償データ部１８内のデータが破壊された場合に復帰できない。
【００３１】
歪補償部２２は、直交ベースバンド信号１０とその信号電力に対応した歪補償データ１２との複素積を計算し、増幅器２６で発生する非線形歪と逆特性の非線形歪を付与した直交ベースバンド信号を直交変調部２４に出力する。直交変調部２４は、歪補償部２２で歪補償処理された直交ベースバンド信号を直交変調する。増幅器２６は、直交変調部２４からの変調信号を所定のレベルまで増幅する。増幅器２６で増幅され歪補償された変調信号１４は、無線信号として送信され、その一部は、分配部２８を介して分配され、フィルタ３０に入力される。
【００３２】
フィルタ３０は、例えば、バンドパスフィルタであり、増幅後の変調信号のうち有効帯域外成分である歪成分を通過させる。すなわち、増幅器２６で発生する非線形歪は、フィルタ３０により取り出される。電力検出部３２は、フィルタ３０から出力される信号（歪成分を示す）の電力を検出し、検出した電力を歪補償データ制御部３４に出力する。
【００３３】
歪補償データ制御部３４は、増幅器２６で発生する非線形歪を小さくするための最適な歪補償データ群を探す更新モード中に、歪補償データ群の更新動作を行う。更新動作では、歪補償データ制御部３４は、歪補償データ部１８に記憶される歪補償データ群を一時的に順次切り替えて（書き換えて）、歪成分の電力の変化を監視する。歪補償データ制御部３４は、上記電力の変化から非線形歪を最も小さくできる歪補償データ群を判定し、判定結果を歪補償データ保有部２０に通知する。すなわち、歪補償データ保有部２０が保有する複数の歪補償データ群Gr1-Grmのいずれかが選択される。そして、上述したように、非線形歪を小さくするための最適な歪補償データ群が歪補償データ部１８に転送される。更新動作後、更新モードは終了する。そして、歪補償部２２は、更新された最適な歪補償データ群の歪補償データを用いて増幅器２６で発生する非線形歪と逆特性の非線形歪を付与した直交ベースバンド信号を生成する。なお、更新モード中においても、非線形歪補償装置は、直交ベースバンド信号１０に応じた変調信号１４を出力する。すなわち、無線通信が、更新モード中に停止することはない。
【００３４】
更新モードへの移行頻度は、例えば、数十分〜１日に１回程度である。更新モードの起動は、例えば、非線形歪補償装置にタイマを内蔵し、タイマ周期に基づいて行われる。このとき、歪補償データ制御部３４、フィルタ３０および電力検出部３２は、更新モードへの移行に応答して活性化し、歪補償データの更新動作を開始する。すなわち、フィルタ３０、電力検出部３２および歪補償データ制御部３４は、更新モード中のみに動作する。フィルタ３０、電力検出部３２および歪補償データ制御部３４は、更新モード中を除いて動作を停止するため、消費電力が削減される。なお、更新モードへの移行は、外部から非線形歪補償装置に供給される制御信号により行ってもよい。
【００３５】
ところで、通常、増幅器２６の特性の変化は、自身の経年変化、あるいは温度変動、湿度変動、駆動電圧変動、電流変動等の環境変化により起こるため緩やかである。このため、更新モードへの移行周期は、ある程度長くてよく、歪補償データ制御部３４が歪成分の電力の変化を監視する期間（電力レベルの比較周期）もある程度長くてよい。電力レベルの比較周期が長くなることにより、直交ベースバンド信号１０は、分布が一様になるランダム信号として考えることができ、ある程度長時間に発生した信号電力分布は、時不変（定常系）として扱うことができる。したがって、入力信号である直交ベースバンド信号１０の信号パターンに関わらず、増幅後の帯域外信号成分（歪成分）のレベル比較を行って、その結果に基づいて歪補償データ群を更新しても無線通信の品質が低下することはない。さらに、電力レベルの比較周期を長くできるため、上述したように、歪補償データ保有部２０を低速のメモリで構成でき、装置コストを削減できる。
【００３６】
図２〜図４は、第１の実施形態における更新モード中の詳細を示している。図２は、様々なＡＭ−ＡＭ特性およびＡＭ−ＰＭ特性の例を示している。図３は、図２に示した増幅器特性を補償する歪補償データ群をそれぞれ適用したときの送信スペクトル（増幅器２６の出力）の例を示している。図４は、図２に示した増幅器特性を補償する歪補償データ群をそれぞれ適用したときに電力検出部３２が検出する帯域外放射電力の例を示している。図２〜図４中の（１）、（２）、（３）は、互いに特性が隣接する３つの歪補償データ群（１）、（２）、（３）[Gr1〜Grｍのうち連続する３つ]にそれぞれ対応している。
【００３７】
図２において、横軸は入力電力（ＡＭ）、左縦軸は出力電力（ＡＭ）、右縦軸は出力位相（ＰＭ）を示している。一組のＡＭ−ＡＭ特性およびＡＭ−ＰＭ特性は、一つの歪補償データ群を示している。すなわち、図２には、歪補償データ群（１）の歪補償データＡＭ−ＡＭ（１）、ＡＭ−ＰＭ（１）、歪補償データ群（２）の歪補償データＡＭ−ＡＭ（２）、ＡＭ−ＰＭ（２）、および歪補償データ群（３）の歪補償データＡＭ−ＡＭ（３）、ＡＭ−ＰＭ（３）が示されている。
【００３８】
この例では、歪補償データ部１８は、更新モードへの移行前に、ＡＭ−ＡＭ特性（２）およびＡＭ−ＰＭ特性（２）を有する歪補償データ群を記憶している。更新モードにおいて、歪補償データ制御部３４は、歪補償データ保有部２０を制御し、歪補償データ部１８を、ＡＭ−ＡＭ特性（１）およびＡＭ−ＰＭ特性（１）を有する歪補償データ群に書き換える。このとき、図３に示すように、増幅器２２から出力される送信スペクトルは、スペクトル（２）からスペクトル（１）に変化する。
【００３９】
電力検出部３２は、図４に示すように、スペクトル（１）の帯域外放射電力（歪成分）を検出する（電力（１））。歪補償データ制御部３４は、電力検出部３２がスペクトル（２）の帯域外放射電力（電力（２））と今回検出した帯域外放射電力（電力（１））とを比較する。歪補償データ制御部３４は、帯域外放射電力が増加しているため、歪補償データ群（２）から歪補償データ群（１）への切り替えは、誤りであると判定する。歪補償データ制御部３４は、歪補償データ部１８を、元のＡＭ−ＡＭ特性（２）およびＡＭ−ＰＭ特性（２）を有する歪補償データ群に書き換える。
【００４０】
次に、歪補償データ制御部３４は、歪補償データ保有部２０を制御し、歪補償データ部１８を、ＡＭ−ＡＭ特性（３）およびＡＭ−ＰＭ特性（３）を有する歪補償データ群に書き換える。このとき、図３に示すように、増幅器２２から出力される送信スペクトルは、スペクトル（２）からスペクトル（３）に変化する。
【００４１】
電力検出部３２は、図４に示すように、スペクトル（３）の帯域外放射電力（歪成分）を検出する（電力（３））。歪補償データ制御部３４は、スペクトル（２）の帯域外放射電力（電力（２））と今回検出した帯域外放射電力（電力（３））とを比較する。歪補償データ制御部３４は、帯域外放射電力が減少しているため、歪補償データ群（２）から歪補償データ群（３）への切り替えは、正しいと判定する。このため、歪補償データ部１８が記憶しているＡＭ−ＡＭ特性（３）およびＡＭ−ＰＭ特性（３）を有する歪補償データ群を保持する。
【００４２】
歪補償データ制御部３４は、以上の手順を帯域外放射電力が減少しなくなるまで繰り返し、帯域外放射電力が減少しなくなった時点の歪補償データ群を、最適な歪補償データ群とし、歪補償データ部１８に保持する。そして、更新モード（歪補償データの更新）が終了する。このように、更新モードにおいて、歪補償データ群を摂動により順次切り替えながら帯域外放射電力を測定することで、増幅器２６の特性の変化に追従して最適な歪補償データ群を選択できる。
【００４３】
以上、本実施形態では、歪補償データ保有部２０に記憶された特性の異なる複数の歪補償データ群Gr1-Grmを用いて歪補償データ群Gr1-Grmを一時的に順次切り替えながら歪成分の電力レベルの変化を監視することで、歪成分電力が最も小さくなる最適な歪補償データ群を容易に求めることができる。また、復調器などの複雑な回路を用いることなく簡易な回路構成で歪補償を実現できる。この結果、無線システムの運用中に増幅器２６の入出力特性が変化する場合にも、低い装置コストで、入出力特性の変化に対応して歪補償データ群を更新でき、無線通信の品質が低下することを防止できる。すなわち、ディジタルプレディストーションにおいて、歪補償を簡易かつ確実に実現できる。
【００４４】
また、特性の異なる複数の歪補償データ群Gr1-Grmを歪補償データ保有部２０に予め記憶しておくことで、更新モード中に歪補償データ部１８への歪補償データ群Gr1-Grmの書き換えを迅速に行うことができる。このため、歪補償の更新動作を短時間で実施できる。
【００４５】
図５は、本発明の非線形歪補償装置の第２の実施形態を示している。第１の実施形態で説明した要素と同一の要素については、同一の符号を付し、これ等については、詳細な説明を省略する。この実施形態では、第１の実施形態の歪補償データ保有部２０および歪補償データ制御部３４の代わりに歪補償データ作成部３６および歪補償データ制御部３４Ａが形成されている。その他の構成は、第１の実施形態と同じである。非線形歪補償装置は、ディジタルプレディストーション手法を採用した装置であり、携帯電話等の無線通信の基地局、携帯電話、加入者系無線の基地局、あるいは無線ＬＡＮの親機・子機等の送信部に適用される。フィルタ３０、電力検出部３２および歪補償データ制御部３４Ａは、第１の実施形態と同様に、更新モード中のみ動作する。
【００４６】
歪補償データ作成部３６は、更新モード中に歪補償データ制御部３４Ａから出力される指示に基づいて、歪補償データを作成して歪補償データ群を構成し、この歪補償データ群を歪補償データ部１８に転送する。転送により、歪補償データ部１８に記憶される歪補償データ群は、書き換えられる。歪補償データ群の作成が容易である場合、または複数の歪補償データ群を予め保有することが困難な場合、第１の実施形態の歪補償データ保有部２０ではなく歪補償データ作成部３６を形成した方が装置コストに対して有効である。
【００４７】
歪補償データ制御部３４Ａは、電力検出部３２が検出した帯域外放射電力（歪成分）が増加するときに、一時的に適用した歪補償データ群が誤っていると判定する。そして歪補償データ制御部３４Ａは、歪補償データ群の切り替えに伴う特性の変化を逆向きにするための制御信号を、歪補償データ作成部３６に出力する。具体的には、上述した図２に示したように、更新モードへの移行前に特性ＡＭ−ＡＭ（２）、ＡＭ−ＰＭ（２）を有する歪補償データ群が適用されており、歪補償データ作成部３６が、歪補償データ制御部３４Ａからの制御信号に基づいて、特性ＡＭ−ＡＭ（１）、ＡＭ−ＰＭ（１）を有する歪補償データ群を作成するときに、歪補償データ制御部３４Ａは、歪成分が増加するためこの歪補償データ群が最適でないと判定し、歪補償データ作成部３６に特性の変化が逆向きである特性ＡＭ−ＡＭ（３）、ＡＭ−ＰＭ（３）を有する歪補償データ群を作成させる。
【００４８】
同様に、歪補償データ制御部３４Ａは、電力検出部３２が検出した帯域外放射電力（歪成分）が減少するときに、一時的に適用した歪補償データ群が正しいと判定する。そして歪補償データ制御部３４Ａは、歪補償データ群の特性を同じ方向にさらに変化させるための制御信号を、歪補償データ作成部３６に出力する。具体的には、上述した図２に示したように、更新モードへの移行前に特性ＡＭ−ＡＭ（１）、ＡＭ−ＰＭ（１）を有する歪補償データ群が適用されており、歪補償データ作成部３６が、歪補償データ制御部３４Ａからの制御信号に基づいて、特性ＡＭ−ＡＭ（２）、ＡＭ−ＰＭ（２）を有する歪補償データ群を作成するときに、歪補償データ制御部３４Ａは、歪成分が減少するため、歪補償データ作成部３６に特性をさらに変化させた特性ＡＭ−ＡＭ（３）、ＡＭ−ＰＭ（３）を有する歪補償データ群を作成させる。
【００４９】
このように、第１の実施形態と同様に、更新モードにおいて、歪補償データ群を摂動により順次切り替えながら帯域外放射電力を測定することで、増幅器２６の特性の変化に追従して最適な歪補償データ群を選択できる。
この実施形態においても、上述した第１の実施形態と同様の効果を得ることができる。さらに、この実施形態では、歪補償データ群をその都度作成することで、複数の歪補償データ群を予め記憶するメモリ（第１の実施形態の歪補償データ保有部２０）が不要になるため、装置コストを削減できる。
【００５０】
図６は、本発明の非線形歪補償装置の第３の実施形態を示している。第１の実施形態で説明した要素と同一の要素については、同一の符号を付し、これ等については、詳細な説明を省略する。この実施形態では、第１の実施形態の非線形歪補償装置に、さらに周波数変換部３８および周波数逆変換部４０が追加されている。その他の構成は、第１の実施形態と同じである。非線形歪補償装置は、ディジタルプレディストーション手法を採用した装置であり、携帯電話等の無線通信の基地局、携帯電話、加入者系無線の基地局、あるいは無線ＬＡＮの親機・子機等の送信部に適用される。フィルタ３０、電力検出部３２および歪補償データ制御部３４は、第１の実施形態と同様に、更新モード中のみ動作する。
【００５１】
周波数変換部３８は、直交変調部２４と増幅器２６との間に配置されており、直交変調部２４から出力される変調信号の周波数帯をこの周波数帯より高い所定の周波数帯に変換する。周波数逆変換部４０は、分配部２８とフィルタ３０の間に配置されており、分配後の変調信号の周波数帯を、この周波数帯より低い所定の周波数帯に変換する。周波数逆変換部４０から出力される信号の周波数帯は、周波数変換部３８に入力される信号の周波数帯と同じでもよく、相違してもよい。
【００５２】
通常の無線送信機においては、最終段の増幅器は、そのまま空中へ放射する周波数帯の増幅器であり、伝搬特性上あるいは法律等の理由により、これは比較的高い周波数を利用することが多い。あるいは、図６に示したように、直交変調部２４から出力される変調信号の周波数帯を、周波数変換部３８によって高い周波数帯に変換した後、空中へ放射する。高い周波数帯の変調信号をフィルタ３０に直接入力し、帯域外放射電力（歪成分）を検出することも可能である。しかし、変調信号を低い周波数帯に変換した後にフィルタ３０に入力して帯域外放射電力を検出することで、より高い精度で帯域外放射電力を取り出すことができる。精度の向上が不要な場合、安価なフィルタを採用でき、装置コストを削減できる。
【００５３】
この実施形態においても、上述した第１の実施形態と同様の効果を得ることができる。さらに、この実施形態では、低い周波数帯域の変調信号をフィルタ３０に入力することで、相対的に高い精度で帯域外放射電力（歪成分）を取り出すことができる。この結果、装置コストを増加させることなく高い精度で歪補償処理を実施でき、無線通信の品質が低下することを防止できる。
【００５４】
図７は、本発明の非線形歪補償装置の第４の実施形態を示している。第１〜第３の実施形態で説明した要素と同一の要素については、同一の符号を付し、これ等については、詳細な説明を省略する。この実施形態では、第２の実施形態の非線形歪補償装置に、さらに周波数変換部３８および周波数逆変換部４０が追加されている。その他の構成は、第２の実施形態と同じである。非線形歪補償装置は、ディジタルプレディストーション手法を採用した装置であり、携帯電話等の無線通信の基地局、携帯電話、加入者系無線の基地局、あるいは無線ＬＡＮの親機・子機等の送信部に適用される。フィルタ３０、電力検出部３２および歪補償データ制御部３４Ａは、第１の実施形態と同様に、更新モード中のみ動作する。この実施形態においても、上述した第１〜第３の実施形態と同様の効果を得ることができる。
【００５５】
図８は、本発明の非線形歪補償装置の第５の実施形態を示している。第１の実施形態で説明した要素と同一の要素については、同一の符号を付し、これ等については、詳細な説明を省略する。この実施形態では、第１の実施形態の電力検出部３２および歪補償データ制御部３４の代わりに電力検出部３２Ｄおよび歪補償データ制御部３４Ｄが形成されている。その他の構成は、第１の実施形態と同じである。非線形歪補償装置は、ディジタルプレディストーション手法を採用した装置であり、携帯電話等の無線通信の基地局、携帯電話、加入者系無線の基地局、あるいは無線ＬＡＮの親機・子機等の送信部に適用される。フィルタ３０、電力検出部３２Ｄおよび歪補償データ制御部３４Ｄは、更新モード中のみ動作する。
電力検出部３２Ｄは、第１の実施形態の電力検出部３２より検出精度が低い（コストも低い）。このため、図９に示すように、帯域外放射電力の検出下限を有しており、非線形歪の帯域外放射電力の最小値（図中の網掛けの丸印）を検出できない。
【００５６】
歪補償データ制御部３４Ｄは、増幅器２６で発生する非線形歪を小さくするための最適な歪補償データ群を探す更新モード中に、歪補償データ群の更新動作を行う。更新動作では、歪補償データ制御部３４Ｄは、歪補償データ群の特性が徐々に変化するように、歪補償データ部１８に記憶される歪補償データ群を順次切り替えて（書き換えて）、歪成分の電力の変化を監視する。歪補償データ制御部３４Ｄは、帯域外放射電力（歪成分）が、複数の歪補償データ群で連続して等しいとき、この電力レベルを電力検出部３２Ｄの検出下限と判定する。そして、歪補償データ制御部３４Ｄは、切り替えた歪補償データ群に対応する歪成分の電力レベルを順にプロットするときに、電力レベルが検出下限に向けて下降する直線と、電力レベルが検出下限から上昇する直線とを求め、これ等２つの直線の交点に対応する歪補償データ群を、非線形歪が最小となる歪補償データ群と推定し、歪補償データ保有部２０に通知する。歪補償データ保有部２０は、歪補償データ制御部３４Ｄから指示された歪補償データ群を歪補償データ部１８に書き込む。そして、歪補償データ部１８に記憶される歪補償データ群が更新される。
【００５７】
図９は、第５の実施形態における更新モードでの動作の詳細を示している。この図は、歪補償データ制御部３４Ｄが、帯域外放射電力（歪成分）を歪補償データ群に対応させて二次元情報として保持している様子を示している。図では、特性が隣接する歪補償データ群を示すラベルを横軸に等間隔に順に並べ、これ等歪補償データ群を用いてそれぞれ測定される帯域外放射電力（歪成分）をプロットしている。ここで、「特性が隣接する歪補償データ群」は、例えば、図２に示したように、特性ＡＭ−ＡＭ（２）に対応する歪補償データ群に対して、特性ＡＭ−ＡＭ（１）に対応する歪補償データ群または特性ＡＭ−ＡＭ（３）に対応する歪補償データ群である。すなわち、横軸に並ぶ歪補償データ群は、その特性が同じ方向に向けて徐々に変化する。この例では、歪補償データ制御部３４Ｄは、１０個の歪補償データ群に対する電力の変化を監視している。しかし、電力の変化の監視は、最大でｍ個の歪補償データ群Gr1-Grmに対して行うことができる。
【００５８】
図中の白丸は、各歪補償データ群に対応して電力検出部３２Ｄが検出した帯域外放射電力を示している。歪補償データ群（４）〜（７）に対応する帯域外放射電力は、電力検出部３２Ｄが検出できる電力レベル（検出下限）より小さいため、同じ値がプロットされる。このとき、歪補償データ制御部３４Ｄは、電力検出部３２Ｄの検出下限と判定する。歪補償データ制御部３４Ｄは、電力レベルが検出下限に向かう歪補償データ群（１）〜（４）に対応する４つの白丸を結ぶ直線の式と、電力レベルが検出下限から上方に向かう歪補償データ群（７）〜（１０）に対応する４つの白丸を結ぶ直線の式とを求める。直線の式は、例えば、最小二乗法を用いることで容易に求められる。
【００５９】
次に、歪補償データ制御部３４Ｄは、図中に太い実線で示した２つの直線の交点に対応する歪補償データ群を、最適な歪補償データ群と判定し、第１の実施形態と同様に、歪補償データ保有部２０を制御して、この歪補償データ群を歪補償データ部１８に記憶させる。この例では、図中に網掛けの丸印で示した２つの直線の交点に最も近い歪補償データ群（５）が、最適な歪補償データ群と判定される。そして、更新モードは、終了する。
【００６０】
なお、帯域外放射電力（歪成分）が、全て異なるとき、これ等電力レベルは、電力検出部３２Ｄの検出下限より上に位置する。このとき、歪補償データ制御部３４Ｄは、最も小さい帯域外放射電力に対応する歪補償データ群を最適な歪補償データ群と判定する。
【００６１】
この実施形態においても、上述した第１の実施形態と同様の効果を得ることができる。さらに、この実施形態では、順次切り替えられる歪補償データ群に対応して測定される帯域外放射電力の変化を監視することで、歪補償データ部１８に記憶される歪補償データ群を、非線形歪を最小にする歪補償データ群に確実に更新できる。電力検出部３２Ｄの精度が低く、帯域外放射電力の最小値が電力検出部３２Ｄの検出下限を下回る場合にも、非線形歪を最小にする歪補償データ群を高い精度で判定できる。電力検出部３２Ｄのコストを相対的に低くできるため、装置コストを削減できる。
【００６２】
図１０は、本発明の非線形歪補償装置の第６の実施形態を示している。第１、第２および第５の実施形態で説明した要素と同一の要素については、同一の符号を付し、これ等については、詳細な説明を省略する。この実施形態では、第２の実施形態の電力検出部３２および歪補償データ制御部３４の代わりに電力検出部３２Ｄおよび歪補償データ制御部３４Ｅが形成されている。その他の構成は、第２の実施形態と同じである。非線形歪補償装置は、ディジタルプレディストーション手法を採用した装置であり、携帯電話等の無線通信の基地局、携帯電話、加入者系無線の基地局、あるいは無線ＬＡＮの親機・子機等の送信部に適用される。フィルタ３０、電力検出部３２Ｄおよび歪補償データ制御部３４Ｅは、第１の実施形態と同様に、更新モード中のみ動作する。
【００６３】
歪補償データ制御部３４Ｅは、更新モード中に、歪補償データ作成部３６に制御信号を順次出力し、特性が隣接する歪補償データ群Gr1-Grmを順次作成させる。歪補償データ作成部３６は、作成した歪補償データ群Gr1-Grmを歪補償データ部１８に順次転送する。そして、歪補償データ制御部３４Ｅは、歪補償データ群Gr1-Grmにそれぞれ対応して電力検出部３２Ｄにより検出される帯域外放射電力（歪成分）を監視する。歪補償データ制御部３４Ｅは、帯域外放射電力（歪成分）が、複数の歪補償データ群で連続して等しいとき、この電力レベルを電力検出部３２Ｄの検出下限と判定する。そして、歪補償データ制御部３４Ｅは、切り替えた歪補償データ群に対応する歪成分の電力レベルを順にプロットするときに、検出下限に対応する複数の歪補償データ群のうち、中央の最も近くに位置する歪補償データ群を、非線形歪が最小となる歪補償データ群と推定し、この歪補償データ群を作成するための制御信号を歪補償データ作成部３６に出力する。歪補償データ作成部３６は、歪補償データ制御部３４Ｅからの制御信号に基づいて歪補償データ群（Gr1-Grmのいずれか）を作成し、作成した歪補償データ群を歪補償データ部１８に書き込む。そして、歪補償データ部１８に記憶される歪補償データ群が更新される。
【００６４】
図１１は、第６の実施形態における更新モードでの動作の詳細を示している。上述した図９と同じ内容については、詳細な説明を省略する。この図は、歪補償データ制御部３４Ｅが、帯域外放射電力（歪成分）を歪補償データ群に対応させて二次元情報として保持している様子を示している。図では、特性が隣接する歪補償データ群を横軸に等間隔に順に並べ、これ等歪補償データ群を用いてそれぞれ測定される帯域外放射電力（歪成分）をプロットしている。この例では、歪補償データ制御部３４Ｅは、１０個の歪補償データ群に対する電力の変化を監視している。しかし、電力の変化の監視は、最大でｍ個の歪補償データ群Gr1-Grmに対して行うことができる。
【００６５】
歪補償データ群（４）〜（７）に対応する帯域外放射電力は、電力検出部３２Ｄが検出できる電力レベル（検出下限）より小さいため、同じ値がプロットされる。このとき、歪補償データ制御部３４Ｅは、電力検出部３２Ｄの検出下限と判定する。歪補償データ制御部３４Ｅは、電力レベルが検出下限に並ぶ４つの白丸を結ぶ線分（図中の太い実線）の中点に最も近い歪補償データ群（５）を、最適な歪補償データ群と判定する。歪補償データ制御部３４Ｅは、第２の実施形態と同様に、歪補償データ作成部３６を制御して、この歪補償データ群（５）を再度作成させ、歪補償データ部１８に記憶させる。そして、更新モードは、終了する。
【００６６】
なお、帯域外放射電力（歪成分）が、全て異なるとき、これ等電力レベルは、電力検出部３２Ｄの検出下限より上に位置する。このとき、第５の実施形態と同様に、歪補償データ制御部３４Ｅは、最も小さい帯域外放射電力に対応する歪補償データ群を最適な歪補償データ群と判定する。
【００６７】
この実施形態においても、上述した第１、第２および第５の実施形態と同様の効果を得ることができる。さらに、この実施形態では、検出下限に並ぶ複数の電力レベルを結ぶ線分の中点を求めるだけで、非線形歪を最小にする歪補償データ群に容易に決定できる。
【００６８】
なお、本発明は、上述した実施形態に限定されるものではない。例えば、第５の実施形態の歪補償データ保有部２０の代わりに、第２の実施形態の歪補償データ作成部３６を形成してもよい。第６の実施形態の歪補償データ作成部３６の代わりに、第２の実施形態の歪補償データ保有部２０を形成してもよい。さらに、第５および第６の実施形態の非線形歪補償装置に、第３の実施形態の周波数変換部３８および周波数逆変換部４０をそれぞれ形成してもよい。
【００６９】
以上、本発明について詳細に説明してきたが、上記の実施形態およびその変形例は発明の一例に過ぎず、本発明はこれに限定されるものではない。本発明を逸脱しない範囲で変形可能であることは明らかである。
【図面の簡単な説明】
【００７０】
【図１】本発明の非線形歪補償装置の第１の実施形態を示すブロック図である。
【図２】様々なＡＭ−ＡＭ特性およびＡＭ−ＰＭ特性の例を示す説明図である。
【図３】図２に示した増幅器特性を補償する歪補償データ群をそれぞれ適用したときの送信スペクトルの例を示す説明図である。
【図４】図２に示した増幅器特性を補償する歪補償データ群をそれぞれ適用したときに電力検出部が検出する帯域外放射電力の例を示す説明図である。
【図５】本発明の非線形歪補償装置の第２の実施形態を示すブロック図である。
【図６】本発明の非線形歪補償装置の第３の実施形態を示すブロック図である。
【図７】本発明の非線形歪補償装置の第４の実施形態を示すブロック図である。
【図８】本発明の非線形歪補償装置の第５の実施形態を示すブロック図である。
【図９】第５の実施形態における更新モードでの動作の詳細を示す説明図である。
【図１０】本発明の非線形歪補償装置の第６の実施形態を示すブロック図である。
【図１１】第６の実施形態における更新モードでの動作の詳細を示す説明図である。
【図１２】非線形歪を含む増幅器の入出力特性の例を示す説明図である。
【図１３】従来の非線形歪補償装置の構成例を示すブロック図である。
【符号の説明】
【００７１】
１０  直交ベースバンド信号
１２  歪補償データ
１４  変調信号
１６  電力計算部
１８  歪補償データ部
２０  歪補償データ保有部
２２  歪補償部
２４  直交変調部
２６  増幅器
２８  分配部
３０  フィルタ
３２、３２Ｄ  電力検出部
３４、３４Ａ、３４Ｄ、３４Ｅ  歪補償データ制御部
３６  歪補償データ作成部
３８  周波数変換部
４０  周波数逆変換部
Gr1-Grm  歪補償データ群
【図１】
2005072747.tif 000003
【図２】
2005072747.tif 000004
【図３】
2005072747.tif 000005
【図４】
2005072747.tif 000006
【図５】
2005072747.tif 000007
【図６】
2005072747.tif 000008
【図７】
2005072747.tif 000009
【図８】
2005072747.tif 000010
【図９】
2005072747.tif 000011
【図１０】
2005072747.tif 000012
【図１１】
2005072747.tif 000013
【図１２】
2005072747.tif 000014
【図１３】
2005072747.tif 000015